(57)【要約】【課題】液晶モジュールを小型化しつつ、集光効率を向上させることを目的とする。【解決手段】液晶モジュールの導光板の入光面に切りかけ部分を設けることで、ランプを該きり欠け部分に設置する。そのことによって、ランプの高さ分液晶モジュールを小型化しつつ、導光板にランプからの光束が直接入射される量が増加することから、集光効率が向上する。【選択図】図５
2009047939.tif 000002
【特許請求の範囲】
【請求項１】
順に積層された液晶パネルと導光板と反射シートとが表示面を除いた周囲を筺体にて囲われ、前記導光板の入光面と前記筺体の一側面との間にランプが配置されたエッジライト方式の液晶モジュールにおいて、
上記導光板の側面部に切り欠き部分を有し、
上記ランプが該切り欠き部分に収め、該切り欠き部分に対面してリフレクタを配置することを特徴とする液晶モジュール。
【請求項２】
上記導光板の上記切り欠き部分は半月状となっていることを特徴とする請求項１の液晶モジュール。
【請求項３】
上記導光板の上記切り欠き部分は斜めのカットとなっていることを特徴とする請求項１の液晶モジュール。
【請求項４】
上記リフレクタは、L字型となっていることを特徴とする請求項１〜請求項３のいずれかに記載の液晶モジュール。
【請求項５】
上記筐体は、枠体の対向する左右の辺を成す左右の縦枠部と両縦枠部の下端を接続する縦枠部よりも長い横枠部とで略コ字型の枠体を構成し、この枠内部に上記反射シートと上記導光板と上記液晶パネルとが順に積層されるフレームと、下側面が上記フレームとの間にフラットケーブルを挟んで上記フレームの横枠部に、左側面が上記縦枠部に、右側面が上記縦枠部に、それぞれ接すると共に、上側面が上記フレームに当接せず前記フレームの内部に積層される部材との間に収容部を形成し、側面には該収容部に連通する開口が形成されるように前面側から上記フレームを覆うように嵌め合わされるベゼルとで構成され、
上記フレームの背面側に配置されて上記液晶パネルと上記フラットケーブルで接続される制御基板と、
該制御基板を背面側から覆うシールド板と、
上記ランプは１本の冷陰極蛍光管を、その両端に嵌めた略半月状のソケットで連結しており、ソケットの外側面から冷陰極蛍光管の端子に接続されたリード線がそれぞれ延出された構成となっており、上記収納部にスライド収納され、
上記導光板は、側面部に半月状の切り欠き部分を有しており、該切り欠き部分に上記ソケットが沿うようになっており、
上記リフレクタは、Ｌ字型の金属板が内部に収容した上記ランプの光を所定の方向に反射することを特徴とする請求項１の液晶モジュール。
【発明の詳細な説明】
【技術分野】
【０００１】
本発明は、エッジライト方式の液晶モジュールに関する。
【背景技術】
【０００２】
従来、エッジライト方式の液晶モジュールでは、両端にソケットが取り付けられたランプをコの字型の溝内に収容する溝型に形成されたリフレクタを設けていた。そのリフレクタのコの字の開口を導光板の入光面に合わせた上でフレームへの取り付けを行い、導光板の前面側に液晶パネルを配置すると共に、導光板の背面側に反射シートを配置していた。そして、液晶パネルの表示面を略矩形に開口した金属製のベゼルを液晶パネルの表示面側から被せることにより、液晶パネル表示面の上下左右端部およびフレーム側面を覆蓋し、ベゼルをフレーム側面に締結していた。また、液晶モジュールの背面側も板金で覆われていた。
【０００３】
液晶モジュールを小型化するためには、リフレクタを除いたりしていた。例えば、特許文献１及び２には、導光板の内側の凹状部内に、蛍光ランプの曲面を挿入する構造が開示されている。また、特許文献３には導光板端面を傾斜させて、この傾斜面に沿って蛍光ランプを配設し、その外周に反射シート（反射板）を設ける構造が開示されている。
【特許文献１】特開平５−１７３１３１号公報
【特許文献２】特開平９−１５２６００号公報
【特許文献３】特開平８−３２０４８６号公報
【発明の開示】
【発明が解決しようとする課題】
【０００４】
しかしながら、特許文献１記載の技術ではリフレクタが単なる平面のため、集光効率があまり良くない。また、特許文献２及び３記載の技術ではリフレクタが設けられておらず、集光効率が落ちることになる。
【０００５】
本発明は、前記課題に鑑みてなされたもので、液晶モジュールの小型化を図りつつ、集光効率を向上、維持する液晶モジュールの提供を目的とする。
【課題を解決するための手段】
【０００６】
上記課題を解決するために、主たる発明の液晶モジュールでは、順に積層された液晶パネルと導光板と反射シートとが表示面を除いた周囲を筺体にて囲われ、前記導光板の入光面と前記筺体の一側面との間にランプが配置されたエッジライト方式の液晶モジュールにおいて、上記導光板の側面部に切り欠き部分を有し、上記ランプが該切り欠き部分に収め、該切り欠き部分に対面してリフレクタを配置する構成としてある。
本発明の他の特徴については、本明細書及び添付図面の記載により明らかにする。
【発明を実施するための最良の形態】
【０００７】
本明細書及び添付図面の記載により、少なくとも、以下の事項が明らかとなる。 
【０００８】
上記主たる発明の構成によれば、導光板の側面部に切り欠き部分を有し、その部分にランプが収まることにより、液晶モジュールの小型化を図ることができる。また、導光板とランプが近くなることにより、集光効率が上がることになる。なお、ここでランプは導光板の切り欠き部分に完全に収まるだけでなく、その一部分が収まる形状となっていれば良い。
【０００９】
上記導光板の切り欠き部分の一例として、半月状となっている構成としてある。
このような構成とすることで、ランプの光束をほとんど損失なく導光板に入射することができ、輝度の向上を図ることができる。
【００１０】
上記導光板の切り欠き部分の一例として、斜めのカットとなっている構成としてある。
このような構成とすることで、導光板のカットを容易にすることができる。また、導光板とランプが近くなることにより、集光効率が上がることになる。
【００１１】
上記リフレクタの一例として、L字型となっている構成とすることができる。
このような構成とすることで、導光板の反対側に向かうランプの光束も効率的に導光板に入射することができ、輝度の向上を図ることができる。また、ランプの下部や上部に向かう光束も導光板に入射することができることから、ランプが完全に導光板の中に入り込む形でなく、一部分が入り込むだけでもよくなり、加工が容易となる。
【００１２】
またさらに具体的な構成として、上記筐体は、枠体の対向する左右の辺を成す左右の縦枠部と両縦枠部の下端を接続する縦枠部よりも長い横枠部とで略コ字型の枠体を構成し、この枠内部に上記反射シートと上記導光板と上記液晶パネルとが順に積層されるフレームと、下側面が上記フレームとの間にフラットケーブルを挟んで上記フレームの横枠部に、左側面が上記縦枠部に、右側面が上記縦枠部に、それぞれ接すると共に、上側面が上記フレームに当接せず前記フレームの内部に積層される部材との間に収容部を形成し、側面には該収容部に連通する開口が形成されるように前面側から上記フレームを覆うように嵌め合わされるベゼルとで構成され、上記フレームの背面側に配置されて上記液晶パネルと上記フラットケーブルで接続される制御基板と、該制御基板を背面側から覆うシールド板と、上記ランプは１本の冷陰極蛍光管を、その両端に嵌めた略半月状のソケットで連結しており、ソケットの外側面から冷陰極蛍光管の端子に接続されたリード線がそれぞれ延出された構成となっており、上記収納部にスライド収納され、上記導光板は、側面部に半月状の切り欠き部分を有しており、該切り欠き部分に上記ソケットが沿うようになっており、上記リフレクタは、Ｌ字型の金属板が内部に収容した上記ランプの光を所定の方向に反射する構成とすることができる。
更に具体的に構成された上記発明では、上述した各構成と同様の効果を奏することはいうまでもない。
【００１３】
以下、添付図面に基づいて、下記の順序に従って本発明の実施形態を説明する。
（１）液晶モジュールの構成：
（２）変形例：
（３）まとめ：
【００１４】
（１）液晶モジュールの構成： 
図１は、ランプユニットＬＵを除く液晶モジュール１００を分解して示した斜視図である。以下、液晶パネル１０の表示面側を正面、ランプユニットＬＵが収容される収容部Ｓを備える側を上面として説明を行う。
【００１５】
ランプユニットＬＵを除く液晶モジュール１００は、概略、反射シート６０、導光板５０、液晶パネル１０の順にフレーム４０の枠内部に積層されており、前面側からフレーム４０を覆うようにベゼル３０が嵌め合わされた後、フラットケーブル１５，１５で液晶パネル１０と接続された制御基板２０が背面側に配置されて構成される。フラットケーブル１５，１５は、フレーム４０とベゼル３０の間で、フレーム４０の側面を伝ってフレーム４０の表と裏とを接続している。
【００１６】
フレーム４０は、略コ字型の枠体であり、枠体の対向する左右の辺を縦枠部４２，４３が構成し、縦枠部よりも長い横枠部４１が両縦枠部の下端を接続している。このフレーム４０の枠内部に積層される部材のうち、液晶パネル１０と反射シート６０はフレーム４０のコ字の枠内に収まっているが、導光板５０は入光面５１の側がコ字の開口から僅かにはみ出している。
【００１７】
導光板５０は入光面５１の側を厚く、入光面５１からその対向する面５２に近づくにつれて徐々に薄くなる断面略楔形となっている。また、入光面５１は、後述するように、断面図が略半円形となるように、切り欠き部分５７が設けられている。フレーム４０の枠内には、導光板５０を載置して保持する保持部４４，４４が設けられている。これら保持部４４，４４には、載置された導光板５０の前面５５が液晶パネル１０のパネル面に対して略平行となるような傾斜がつけてある。液晶パネル１０は、側面略中央に突起１１，１１を有し、フレーム４０背面側下方に形成された凹み４５，４５に係合しており、導光板の前面５５と所定の間隔を保つようにフレーム４０上に載置される。
【００１８】
フレーム４０を前面から覆うベゼル３０は、幅がフレーム４０の外寸に略一致し、高さはランプユニットＬＵが収容されるスペースが形成される分だけフレーム４０の外寸よりも長くなる。ベゼル３０の前面側の上下左右端部からは内側に向けて所定幅の面が略垂直に延出され、この面に囲われる矩形の開口から液晶パネル１０のビューエリアを露見させている。そして、ベゼル３０の各側面は、下側面３１がフラットケーブル１５，１５を挟んでフレーム４０の横枠部４１に、左側面３３が縦枠部４３に、右側面３４が縦枠部４２に、それぞれ接している。
【００１９】
そして、各側面３１，３２，３３に形成された穴を通してフレーム４０の外側面にネジで固定されており、積層された反射シート６０、導光板５０、液晶パネル１０、をフレーム４０の枠内に保持にされることになる。即ち、これらフレーム４０とベゼル３０が筺体を構成する。
【００２０】
一方、図１に示すように、ベゼルの上側面３２はフレーム４０には当接せず、フレーム４０とこの内部に積層される部材との間にスペースが形成されて、後述の収容部Ｓとなる。右側面３４にはこの収容部Ｓに連通する開口３４ａが形成される。なお、開口３４ａからは、導光板５０の切り欠き部分５７の端部が露出する。
【００２１】
図４は、液晶モジュール１００を背面から見た斜視図である。液晶モジュール１００のフレームの縦枠部４２，４３には背面側に制御基板２０を保持する凹み４６，４６が形成されており、この凹み４６，４６に制御基板２０側面から突出した突起２１，２１が係合されることにより、制御基板２０が液晶モジュール１００の背面側の所定位置に係止される。そして、制御基板２０の背面から、制御基板２０と略同型の板金を合わせて載置し、板金と制御基板２０を共にフレーム４０に締結する。この板金は、制御基板２０を物理的・電磁的に保護するシールド板である。
【００２２】
図２は、ランプユニットＬＵを分解して示した斜視図である。ランプユニットＬＵは、ランプ８０、内部に収容したランプ８０の光を所定の方向に反射するリフレクタ７０（反射板）、で構成される。リフレクタ７０は、略Ｌ字型の薄型の金属板となっている。ここで、金属板は完全な直角となっている必要はなく、ある程度の鈍角となっていてもよい。
【００２３】
ランプ８０は、１本の冷陰極蛍光管（ＣＣＦＬ）８１を、その両端に嵌めた断面がのソケット８２，８３で連結している。ソケット８２、８３は導光板５０に対する面８２ｃ、８３ｃは、導光板５０の切り欠き部分５７の曲面に沿うようになっている。また、ソケット８２、８３のリフレクタ７０に対する面８２ａ、８３ａは、リフレクタ７０の角度にあうように屈折している。つまり、ソケット８２、８３の断面は導光板５０に接するほうが略半円形で、リフレクタ７０に接するほうが略三角形の形状となっている。リフレクタに設けられた孔７２及び７３と、ソケット８２、８３に設けられたネジ穴８２ｂ、８３ｂとがネジ止めされ、リフレクタ７０とソケット８２、８３が固定される。また、ソケット８２，８３の外側面からは、ＣＣＦＬ８１の端子に接続されたリード線８４，８５がそれぞれ延出されている。
【００２４】
なお、本実施例では、ＣＣＦＬ８１を１本としているが、略並行に並べ、２本以上になるようにしても良い。その場合には、リード線８４、８５はＣＣＦＬ８１と同じ本数延出されることになる。
【００２５】
図３は、液晶モジュールにランプユニットＬＵを取り付ける様子を示した斜視図である。ランプユニットＬＵは、収納部Ｓに収納され、開口３４ａを通過して、露出している導光板５０の切り欠き部分５７に沿うように挿入される。ランプユニットＬＵは、ベゼル３０とリフレクタ７０がネジ止めされることで固定される。
【００２６】
ランプユニットＬＵは、収容部Ｓへの収容時に先に挿入される側のリード線８５が後側面７３の外側を伝わせられて、他方のリード線８４とまとめて外部へと引き回され、インバータ回路に接続される。このインバータ回路から供給されるインバータ電圧でＣＣＦＬ８１が点灯される。
【００２７】
図５は、ランプユニットＬＵ付近の要部断面図である。点線の矢印はＣＣＦＬ８１から出射される光束を模式化したものである。導光板５０の切り欠き部分５７に、ＣＣＦＬ８１が完全に入り込んでいる。そのためＣＣＦＬ８１から前後及び下へ出射される光束は導光板５０に直接入射される。また、ＣＣＦＬ８１の上へ出射される光束は、リフレクタ７０に反射した後、導光板５０に入射される。そのため、ＣＣＦＬ８１から出射される光束が導光板５０に入射され集光効率が上がる。なお、従来のものようにリフレクタをコの字に折り曲げる必要がなく、折り曲げ回数が減るため、リフレクタ７０の形成も容易になる。また、単なる平面に比べ、リフレクタの端部への光も確実に導光板５０の方へ反射させることができるため、集光効率が向上される。
【００２８】
なお、本実施例において、ＣＣＦＬ８１は完全に導光板５０の切り欠き部分５７に入り込んでいるが、その一部が入り込む形状でも良い。その場合には、ＣＣＦＬ８１が完全に入り込む場合に比べて、導光板５０の切り欠き部分５７が小さくてすむため加工が容易である。
【００２９】
（２）変形例： 
以上の導光板の切り欠き部分は、以下の変形が可能である。
図６は、変形例におけるランプユニットＬＵ付近の要部断面図である。この変形例において、導光板５０の切り欠き部分５７を、反射シート６０に近いほうの導光板の辺が短くなるように、断面が斜めになるように形成しても良い。その際には、ソケット１８２、１８３の形状は切り欠き部分１５７に合うように三角形になるようにする。また、リフレクタ１７０を平面とし、反射シート１６０がリフレクタ１７０の位置まで延伸される。すると、ＣＣＦＬ８１から前及び下方向へ出射される光束は、導光板１５０に直接入射される。ＣＣＦＬ８１から上方向、つまりリフレクタ１７０方向に出射される光束は、リフレクタ１７０に反射され、導光板１５０に入射される。ＣＣＦＬ８１から後方向、つまり反射シート１６０方向に出射される光束は、反射シート１６０に反射され、導光板１５０に入射される。
【００３０】
なお、反射シート１６０を延伸して、リフレクタ１７０を平面とするのではなく、リフレクタを直角のＬ字型とし、反射シート１６０の位置にリフレクタのＬ字の一面がくるように配しても良い。
【００３１】
（３）まとめ： 
つまり、順に積層された液晶パネル１０と導光板５０と反射シート６０が、フレーム４０とベゼル３０とにより表示面および背面を除いた周囲を囲われ、導光板５０の入光面５１に設けられた切り欠き部分５７にランプ８０が配され、その上部にリフレクタ７０が設けられる。このようにすることで、液晶モジュール１００をランプ８０の高さに相当する程度小型化することができ、また導光板５０とランプ８０が近づくことで、集光効率を向上させることが可能となる。
【００３２】
なお、本実施例及び変形例において、制御基板２０を覆う板金は、ベゼル３０に当接する位置まで、つまり液晶モジュール１００の後部の全面を覆うようにしてもよい。このように形成することで、反射シート６０の裏面が露出されることを防ぐことができる。
【００３３】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【図面の簡単な説明】
【００３４】
【図１】ランプユニットを除いた液晶モジュールの分解斜視図である。
【図２】ランプユニットの分解斜視図である。
【図３】液晶モジュールにランプユニットを取り付ける様子を示した斜視図である。
【図４】液晶モジュールを背面から見た斜視図である。
【図５】ランプユニットＬＵ付近の要部断面図である。
【図６】変形例におけるランプユニットＬＵ付近の要部断面図である。
【符号の説明】
【００３５】
１００…液晶モジュール、１０…液晶パネル、１５…フラットケーブル、２０…制御基板、３０…ベゼル、３４ａ…開口、４０…フレーム、５０…導光板、５７…切り欠き部分、６０…反射シート、７０…リフレクタ、８０…ランプ、８１…冷陰極蛍光管（ＣＣＦＬ）、８２,８３…ソケット、８４,８５…リード線、
【図１】
2009047939.tif 000003
【図２】
2009047939.tif 000004
【図３】
2009047939.tif 000005
【図４】
2009047939.tif 000006
【図５】
2009047939.tif 000007
【図６】
2009047939.tif 000008